(57)【要約】【課題】製造工程の簡単化及びサイズを減少するためのバックライト組立体及びこれを具備した表示装置を提供する。【解決手段】バックライト組立体は、光源、導光板、収納容器及び結合ガイドを含む。光源は光を出射し、導光板は光の経路をガイドして出射する。収納容器は底面と底面から延長された側壁とを有し、導光板を収納する。結合ガイド部は側壁から収納容器の内側に突出され、収納容器と外部ケースとを結合させ導光板をガイドする。導光板の一面には前記結合ガイド部に対応するガイド溝が形成される。結合ガイド部は内側面にネジ山が形成された管形状を有する。これにより、結合ガイド部を用いて外部ケースとの結合は勿論、導光板をガイドすることで導光板を収納する収納容器の設計を簡単にすることができる。【選択図】    図１
2006253108.tif 000002
【特許請求の範囲】
【請求項１】
光を出射する光源と、
前記光の経路をガイドして出射する導光板と、
底面と前記底面から延長された側壁とを有し、前記導光板を収納する収納容器と、
前記側壁から前記収納容器の内側に突出され、前記収納容器と外部ケースとを結合させ前記導光板をガイドする結合ガイド部と、
を含むことを特徴とするバックライト組立体。
【請求項２】
前記導光板の一面には前記結合ガイド部に対応するガイド溝が形成されることを特徴とする請求項１記載のバックライト組立体。
【請求項３】
前記結合ガイド部は、内側面にネジ山が形成されている管形状であることを特徴とする請求項１記載のバックライト組立体。
【請求項４】
前記結合ガイド部は、
前記側壁から前記収納容器の内側に突出されたスタッド部と、
前記スタッド部を前記側壁に固定するための固定端部と、を含むことを特徴とする請求項１記載のバックライト組立体。
【請求項５】
前記ガイド溝は、前記導光板の一面と平行な第１面と、前記第１面の両端部と前記導光板の一面をそれぞれ連結する二つの第２面と、を含むことを特徴とする請求項２記載のバックライト組立体。
【請求項６】
前記結合ガイド部は、前記第２面のうちいずれか一つと密接に配置されることを特徴とする請求項５記載のバックライト組立体。
【請求項７】
前記結合ガイド部は、前記第２面それぞれ密接に配置される第１結合ガイド部、及び第２結合ガイド部を含むことを特徴とする請求項５記載のバックライト組立体。
【請求項８】
前記結合ガイド部は、
前記側壁から前記収納容器の内側に突出された第１スタッド部と、
前記側壁から前記収納容器の外側に突出された第２スタッド部と、
前記第１及び第２スタッド部を前記側壁に固定させる固定端部と、を含むことを特徴とする請求項１記載のバックライト組立体。
【請求項９】
前記第２スタッド部の内側面にはネジ山が形成されることを特徴とする請求項８記載のバックライト組立体。
【請求項１０】
前記結合ガイド部は、
前記収納容器の側壁から外側に突出され、前記収納容器と前記外部ケースと間を結合させる結合部と、
前記収納容器の側壁から内側に突出され、前記導光板をガイドするガイド部と、を含むことを特徴とする請求項１記載のバックライト組立体。
【請求項１１】
前記結合部は、
前記側壁から前記収納容器の外側に突出され、内側壁にネジ山が形成された第１スタッド部と、
前記第１スタッド部を前記側壁に固定するための第１固定端部と、
を含むことを特徴とする請求項１０記載のバックライト組立体。
【請求項１２】
前記ガイド部は、
前記側壁から前記収納容器の内側に突出され前記導光板の一面に形成されたガイド溝と密接に配置された第２スタッド部と、
前記第２スタッド部を前記側壁に固定するための第２固定端部と、を含むことを特徴とする請求項１０記載のバックライト組立体。
【請求項１３】
光を用いて画像を表示する表示パネルを有する表示アセンブリと、
底面と側壁とを有し導光板を収納する収納容器と、前記側壁から前記収納容器の内側に突出され前記収納容器と外部ケースとを結合させ前記導光板をガイドする結合ガイド部とを有するバックライト組立体と、
を含むことを特徴とする表示装置。
【請求項１４】
前記導光板の一面には前記結合ガイド部に対応するガイド溝が形成されることを特徴とする請求項１３記載の表示装置。
【請求項１５】
前記結合ガイド部は、内側面にネジ山が形成された管形状であることを特徴とする請求項１３記載の表示装置。
【請求項１６】
前記結合ガイド部は、
前記側壁から前記収納容器の内側に突出されたスタッド部と、
前記スタッド部を前記側壁に固定するための固定端部と、を含むことを特徴とする請求項１３記載の表示装置。
【請求項１７】
前記ガイド溝は前記導光板の一面と平行な第１面と、前記第１面の両端部と前記導光板の一面をそれぞれ連結する第２面とを含み、前記結合ガイド部は前記第２面のうち少なくとも一つと密接に配置されることを特徴とする請求項１４記載の表示装置。
【発明の詳細な説明】
【技術分野】
【０００１】
本発明はバックライト組立体及びこれを具備した表示装置に関する。
【背景技術】
【０００２】
一般的に、表示装置は情報処理装置で処理された画像を表示するための出力装置である。表示装置の代表的な例として液晶分子を用いて画像を表示する液晶表示装置がある。
一般的な液晶表示装置は、相互向き合う一対の基板と前記基板の間に介在された液晶層を含む。前記一対の基板の間に形成される電位差によって液晶分子の配列を変更し、これにより画像が表示される。
【０００３】
具体的に、液晶表示モジュールは画像を表示するために液晶パネルアセンブリ及びバックライト組立体を含む。液晶パネルアセンブリは一対の基板と、前記基板の間に介在された液晶層を含む液晶パネルと、前記液晶パネルを駆動するための駆動回路が配置された印刷回路基板とを含む。
前記バックライト組立体は、収納容器であるボトムシャーシ、前記ボトムシャーシに収納されたランプ、導光板、光学部材、モールドフレーム及びトップシャーシを含む。前記ボトムシャーシと前記トップシャーシとの結合によって前記液晶パネルアセンブリと前記バックライト組立体とを含む液晶表示モジュールが完成される。
【発明の開示】
【発明が解決しようとする課題】
【０００４】
ところで、前記液晶表示モジュールには、カスタマー業体（customer company）で製造された外部ケースとの結合のためのユーザーホールが形成される。一般的に、ユーザーホールは前記ボトムシャーシの外側壁に所定の高さに突出されるように形成されるか、または、所定の厚さを有するモールドフレームの側壁に挿入されるように形成される。また、前記ボトムシャーシは収納された前記導光板の外力による揺動を防ぐためにガイド部材が形成される。
【０００５】
このように、前記ユーザーホール及び前記ガイド部材の形成によって前記液晶表示モジュールの製造工程が複雑になるという短所がある。また、前記ユーザーホールによって前記液晶表示モジュールの幅が広くなるという短所を有する。
これに本発明の技術的課題はこのような点に鑑み出されたもので、本発明の目的は製造工程の簡単化及びサイズを減少するためのバックライト組立体を提供することにある。
【０００６】
本発明の他の目的は、前記バックライト組立体を具備した表示装置を提供することにある。
【課題を解決するための手段】
【０００７】
前記した本願第１発明の目的を実現するための実施例によるバックライト組立体は、光源、導光板、収納容器及び結合ガイド部を含む。前記光源は光を出射し、前記導光板は前記光の経路をガイドして出射する。前記収納容器は底面と前記底面から延長された側壁を有し、前記導光板を収納する。前記結合ガイド部は前記側壁から前記収納容器の内側に突出され、前記収納容器と外部ケースとを結合させ前記導光板をガイドする。
【０００８】
前述のように、収納容器の側壁に内側に突出された結合ガイド部は、収納容器と外部ケースとを結合するとともに、導光板を支持する。よって、収納容器と外部ケースと間の結合を容易にすることができ、また導光板を安定的に支持することができる。さらに、結合ガイド部を収納容器の内側に突出して形成することにより、表示装置の幅を減少することができる。また、結合ガイド部を通じて導光板を支持することによって別途の導光板を支持するための支持部材の設計が不必要になる。そのため、収納容器のデザイン設計及び加工を簡単化することができる。
【０００９】
本願第２発明は、本願第１発明において、前記導光板の一面には前記結合ガイド部に対応する溝が形成される。結合ガイド部がガイド溝に係止することで、導光板を安定的に支持することができる。
本願第３発明は、本願第１発明において、前記結合ガイド部は内側面にネジ山が形成された管形状である。外部ケースを挟み込んで、結合ガイド部のネジ山にねじを締結して外部ケースと収納容器とを安定的に固定することができる。
【００１０】
本願第４発明は、本願第１発明において、前記結合ガイド部は前記側壁から前記収納容器の内側に突出されたスタッド部と、前記スタッド部を前記側壁に固定するための固定端部とを含む。結合ガイド部の固定端部によりスタッド部を収納容器の側壁に固定するとともに、側壁から収納容器の内側に突出されたスタッド部により導光板を安定的に支持する。
【００１１】
本願第５発明は、本願第２発明において、前記ガイド溝は、前記導光板の一面と平行な第１面と、前記第１面の両端部と前記導光板の一面をそれぞれ連結する二つの第２面とを含む。
本願第６発明は、本願第５発明において、前記結合ガイド部は前記第２面のうちいずれか一つと密接に配置される。これにより、ガイド溝にスタッドが挿入され、第２面が前記スタッドに密接に配置されることで外力によって前記導光板が流動されることを防止する。
【００１２】
本願第７発明は、本願第５発明において、前記結合ガイド部は、前記第２面それぞれ密接に配置される第１結合ガイド部、及び第２結合ガイド部を含む。
本願第８発明は、本願第１発明において、前記結合ガイド部は前記側壁から前記収納容器の内側に突出された第１スタッド部と、前記側壁から前記収納容器の外側に突出された第２スタッド部と、前記第１及び第２スタッド部を前記側壁に固定させる固定端部とを含む。収納容器の内側に突出された第１スタッド部は、収納容器に収納される導光板の流動を防止する。また、収納容器の外側に突出された第２スタッド部は、収納容器と外部ケースをねじを介して結合する。
【００１３】
本願第９発明は、本願第８発明において、前記第２スタッド部の内側面にはネジ山が形成される。
本願第１０発明は、本願第１発明において、さらに望ましくは、前記結合ガイド部は、前記収納容器の側壁から外側に突出され、前記収納容器と前記外部ケースと間を結合させる結合部、及び前記収納容器の側壁から内側に突出され、前記導光板をガイドするガイド部を含む。収納容器の外側に突出された結合部は、収納容器と外部ケースをねじを介して結合する。収納容器の内側に突出されたガイド部は、収納容器に収納される導光板の流動を防止する。
【００１４】
本願第１１発明は、本願第１０発明において、前記結合部は、前記側壁から前記収納容器の外側に突出され、内側壁にネジ山が形成された第１スタッド部、及び前記第１スタッド部を前記側壁に固定するための第１固定端部を含む。
本願第１２発明は、本願第１０発明において、前記ガイド部は、前記側壁から前記収納容器の内側に突出され前記導光板の一面に形成されたガイド溝と密接に配置された第２スタッド部、及び前記第２スタッド部を前記側壁に固定するための第２固定端部を含む。
【００１５】
本願第１３発明は、表示装置は表示アセンブリとバックライト組立体を含む。前記表示アセンブリは光を用いて画像を表示する表示パネルを有する。前記バックライト組立体は、底面と側壁を有し導光板を収納する収納容器、及び前記側壁から前記収納容器の内側に突出され前記収納容器と外部ケースとを結合させ前記導光板をガイドする結合ガイド部を有する。
【００１６】
本願第１４発明は、本願第１３発明において、前記導光板の一面には前記結合ガイド部に対応するガイド溝が形成され、前記結合ガイド部は内側面にネジ山が形成された管形状である。
本願第１５発明は、本願第１３発明において、前記結合ガイド部は、前記側壁から前記収納容器の内側に突出されたスタッド部、及び前記スタッド部を前記側壁に固定するための固定端部を含む。
【００１７】
本願第１６発明は、本願第１３発明において、前記ガイド溝は、前記導光板の一面と平行な第１面と前記第１面の両端部と前記導光板の一面をそれぞれ連結する第２面を含む。
本願第１７発明は、本願第１４発明において、前記結合ガイド部は前記第２面のうちいずれか一つと密接に配置される。
【発明の効果】
【００１８】
このようなバックライト組立体及びこれを具備した表示装置によると、結合ガイド部を用いて外部ケースとの結合は勿論、導光板をガイドすることで導光板を収納する収納容器の設計を簡単にすることができる。また、バックライト組立体及び表示装置のサイズを減少することができる。
【発明を実施するための最良の形態】
【００１９】
以下、図面を参照して本発明の望ましい一実施例をより詳細に説明する。
（実施例１）
（１）構成
図１は本発明の一実施例によるバックライト組立体に対する概略的な斜視図である。図１に示すように、バックライト組立体は収納容器１１０、ランプユニット１２０、導光板１３０、光学ユニット１４０及びモールドフレーム１５０を含む。
【００２０】
前記収納容器１１０はプレート形状を有する底面１１１及び前記底面１１１から折曲され延長された側壁１１２を含む。前記収納容器１１０には底面１１１及び側壁１１２によって収納空間が形成される。
前記側壁１１２には結合ガイド部１１５と固定部位１１７が形成される。前記結合ガイド部１１５は管形状を有し、前記側壁１１２から前記収納容器１１０の内側に突出されるように形成される。
【００２１】
前記結合ガイド部１１５の内側面にはネジ山が形成され結合部材として使用される。後続組立工程によって前記結合ガイド部１１５は外部ケースとスクリュー（ねじ）を介して結合される。
また、前記結合ガイド部１１５は前記収納容器１１０の内側に突出されるように形成され、ガイド部材（支持部材）として使用される。前記結合ガイド部１１５は前記収納容器１１０に収納される導光板１３０の側面１３２に形成されたガイド溝１３２ａに挿入され前記導光板１３０のｙ軸方向に動くことを防止する。前記結合ガイド部１１５は円形または多角形の管形状に多様に形成されることができるが、望ましくは円形の管形状、即ち、円筒形状である。
【００２２】
前記固定部１１７は前記収納容器１１０に収納される光学部材１４２、１４３、１４４の突出部１４５が安着され、前記光学部材１４２、１４３、１４４がｙ軸方向に動かないように固定する。望ましくは、それぞれの側壁１１２に形成された前記固定部１１７は互いに異なる位置に形成される。これにより、前記光学部材１４２、１４３、１４４が前記収納容器１１０に正しい方向に固定され、上下されることを防止することができる。
【００２３】
望ましくは、前記結合ガイド部１１５と固定部１１７は前記側壁１１２のうち前記ランプユニット１２０と接しない側壁１１２に形成される。
前記ランプユニット１２０は光を出射するランプ１２１、前記ランプ１２１をカバーするランプカバー１２２を含む。
前記ランプ１２１は、前記導光板１３０の入光面１３１と向き合うように配置され、光を出射する。前記ランプカバー１２２は前記ランプ１２１の一部領域を取り囲むように配置される。前記ランプカバー１２２は前記ランプ１２１から出射された光を前記導光板１３０の入光面１３１側に集光させる。望ましくは、前記ランプカバー１２２は前記ランプ１２１を取り囲み、さらに、前記導光板１３０の入光面１３１から延長された背面の一部領域をカバーするように形成される。図１に示すように、ランプカバー１２２は、導光板１３０の背面を支持するように延在されている。また、前記ランプカバー１２２の内側面には光を反射する光反射層が形成される。
【００２４】
前記導光板１３０は前記ランプ１２１と並んで位置する入光面１３１、前記入光面１３１と第１方向に直交する側面１３２、及び前記入光面１３１と第２方向に直交する出射面１３３を含む。前記側面１３２には前記導光板１３０をガイドするガイド溝１３２ａが形成される。前記ガイド溝１３２ａに前記結合ガイド部１１５が挿入され前記導光板１３０の揺動を防止する。
【００２５】
前記光学ユニット１４０は反射部材１４１と光学部材１４２、１４３、１４４を含む。前記反射部材１４１は前記導光板１３０の下に配置され前記導光板１３０から漏洩された光を反射させる。
前記光学部材１４２、１４３、１４４は前記導光板１３０の上に配置され、前記導光板１３０から出射された光の輝度特性を向上させる。前記光学部材１４２、１４３、１４４は拡散板及び一つ以上のプリズムシートを含む。
【００２６】
前記モールドフレーム１５０は光が通過するように中央が開口された開口部１５１を含む矩形フレーム形状を有し、前記開口部１５１の端部には支持部１５２が形成される。
前記支持部１５２は前記モールドフレーム１５０の下に配置された前記光学部材１４２、１４３、１４４の端部部分を押して固定し、前記モールドフレーム１５０の上に配置される表示パネル（図示せず）をガイドして安着させる。望ましくは、前記モールドフレーム１５０の側壁には前記結合ガイド部１１５に対応するホール１５３が形成される。
【００２７】
図２は図１に示された結合ガイド部に対する拡大斜視図である。
図１及び図２に示すように、前記結合ガイド部１１５はスタッド部１０１と、固定端部１０２を含む。
前記スタッド１０１は管形状を有し、前記管形状の内側面にはネジ山１０３が形成される。前記スタッド１０１の高さｈは前記導光板１３０の側面１３２に形成されたガイド溝１３２ａの深さに対応する。
【００２８】
前記固定端部１０２は多角形状を有し、前記収納容器１１０の側壁１１２の厚さに対応する厚さｔを有する。前記固定端部１０２は前記収納容器１１０の側壁１１２に固定されることで前記結合ガイド部１１５を前記収納容器１１０に固定させる。例えば、固定端部１０２を側壁１１２に埋め込むことで、側壁１１２に固定することができる。
（２）変形例
（ａ）変形例１
図３は図１に示された収納容器と導光板に対する一実施例を示す斜視図である。
【００２９】
図３を参照すると、前記収納容器は結合ガイド部２３０を含み、前記導光板２４０には前記結合ガイド部２３０に対応して形成されたガイド溝２４１を含む。
前記結合ガイド部２３０は前記収納容器の側壁２１０の一定位置に固定される。前記結合ガイド部２３０は前記収納容器の内側に突出されたスタッド２３１と前記側壁２１０に挿入される固定端部２３２を含む。前記スタッド２３１は一定の高さｈを有する円筒形状に形成され、ネジ山２３３が形成された内側壁を有する。
【００３０】
前記ガイド溝２４１は前記結合ガイド部２３０が形成された位置に対応して前記導光板２３０の側面に形成される。前記ガイド溝２４１は第１面２４２と前記第１面の両端部からそれぞれ延長された二つの第２面２４３を有するＵ字形状である。前記ガイド溝２４１の深さは前記スタッド２３１の高さｈに対応する。
前記ガイド溝２４１の二つの第２面２４３のうち一つは前記スタッド２３１と密接されるように配置される。これにより、前記ガイド溝２４１に前記スタッド２３１が挿入され、前記第２面２４３が前記スタッド２３１に密接に配置されることで外力によって前記導光板２４０が流動されることを防止する。そして、後続組立工程によって、外部ケースを挟み込んで、前記結合ガイド部２３０のネジ山２３３にねじを締結して外部ケースと収納容器とを固定する。
【００３１】
結果的に、前記結合ガイド部２３０はカスタマーの外部ケースとの結合を容易にし、さらに、収納容器に収納される前記導光板２４０を安定にガイドする。
（ｂ）変形例２
図４は図１に示された収納容器と導光板に対する他の実施例を示す斜視図である。
図４に示すように、前記導光板２７０はガイド溝２７１を含み、前記収納容器は前記ガイド溝２７１に対応して形成された前記第１及び第２結合ガイド部２５０、２６０を含む。
【００３２】
前記ガイド溝２７１は前記第１及び第２結合ガイド部２５０、２６０が形成された位置に対応して前記導光板２７０の側面２７５に形成される。前記ガイド溝２７１は第１面２７２と前記第１面の両端部からそれぞれ延長された二つの第２面２７３、２７４を有するＵ字形状である。
前記ガイド溝２７１の深さは前記第１及び第２結合ガイド部２５０、２６０の突出された高さｈに対応する。前記ガイド溝２７１の第２面２７３、２７４のうち一つは前記第１結合ガイド部２５０に密接に配置され、他の一つは前記第２結合ガイド部２６０に密接に配置される。
【００３３】
前記第１結合ガイド部２５０は前記側壁２１０の第１位置に固定される。前記第１結合ガイド部２５０は前記収納容器の内側に突出された第１スタッド２５１と前記側壁２１０に挿入される第１固定端部２５２を含む。前記第１スタッド２５１は一定の高さｈを有する円筒形状に形成され、ネジ山２５３が形成された内側壁を含む。
前記第２結合ガイド部２６０は前記側壁２１０の第２位置に固定される。前記第１結合ガイド部２６０は前記収納容器の内側に突出された第２スタッド部２６１と前記側壁２１０に挿入される第２固定端部２６２を含む。前記第２スタッド２６１は一定の高さｈを有する円筒形状に形成され、ネジ山２６３が形成された内側壁を含む。
【００３４】
これによって、前記ガイド溝２７１には第１及び第２スタッド部２５１、２６１が挿入される。前記一つの第２面２７３は前記第１スタッド部２５１に密接に配置され、前記他の一つの第２面２７４は前記第２スタッド２６１に密接に配置され、前記導光板２７０の流動を防止する。そして、後続組立工程によって、外部ケースを挟み込んで、第１及び第２結合ガイド部２５０、２６０のそれぞれのネジ山２５３、２６３にねじを締結して外部ケースと収納容器とを固定する。
【００３５】
結果的に、前記第１及び第２結合ガイド部２５０、２６０は外部ケースとの結合を容易にし、さらに、収納容器に収納される前記導光板２７０をガイドする。
（ｃ）変形例３
図５は図１に示された収納容器と導光板に対する他の実施例を示す斜視図である。
図５に示すように、前記収納容器は結合ガイド部２８０を含み、前記導光板２９０には前記結合ガイド部２８０に対応して形成されたガイド溝２９１を含む。
【００３６】
前記結合ガイド部２８０は前記収納容器の側壁２１０の一定位置に固定される。前記結合ガイド部２８０は前記収納容器の内側に突出されたスタッド部２８１と前記側壁２１０に挿入される固定端部２８２を含む。前記スタッド２８１は一定の高さｈと一定の直径ｗを有する円筒形状に形成され、ネジ山２８３が形成された内側壁を含む。
前記ガイド溝２９１は、前記結合ガイド部２８０が形成された位置に対応して前記導光板２９０の側面２９５に形成される。望ましくは、前記ガイド溝２９１の幅ｗ’は前記スタッド２８１の直径ｗと略類似した大きさに形成する（ｗ＜ｗ’）。前記ガイド溝２９１は第１面２９２と前記第１面の両端部からそれぞれ延長された二つの第２面２９３を有するＵ字形状である。前記ガイド溝２９１の深さは前記スタッド２８１の高さｈに対応する。
【００３７】
これにより、前記ガイド溝２９１に前記スタッド２８１があつらえ形状に挿入されることによって外力による導光板２４０の流動を防止する。そして、後続組立工程によって、外部ケースを挟み込んで、結合ガイド部２８０のネジ山２８３にねじを締結して外部ケースと収納容器とを固定する。
結果的に、前記結合ガイド２８０は外部ケースとの結合を容易にし、さらに、収納容器に収納される前記導光板２９０をガイドする。
（実施例２）
図６は本発明の他の実施例によるバックライト組立体に対する概略的な斜視図である。
【００３８】
図６に示すように、バックライト組立体は収納容器３１０、ランプユニット１２０、導光板３３０、光学ユニット１４０及びモールドフレーム１５０を含む。
前記導光板３３０は前記ランプ１２１と並んで位置する入光面３３６、前記入光面３３６と第１方向に直交する側面３３５、及び前記入光面３３６と第２方向に直交する出射面３３７を含む。前記側面３３５には前記導光板３３０をガイドするガイド溝３３１が形成される。前記ガイド溝３３１に前記結合ガイド部３１５が挿入され前記導光板３３０の揺動を防止する。
【００３９】
前記収納容器３１０はプレート形状を有する底面３１１及び底面３１１から延長された側壁３１２を含む。前記収納容器３１０には底面３１１及び側壁３１２によって収納空間が形成される。
前記側壁３１２には結合ガイド部３１５と固定部３１７が形成される。前記結合ガイド部３１５は管形状を有し、前記側壁３１２から前記収納容器３１０の内側及び外側にそれぞれ突出された第１スタッド３１５ａ及び第２スタッド３１５ｂが形成される。
【００４０】
前記第１及び第２スタッド３１５ａ、３１５ｂの内側面にはネジ山が形成され、スクリューを介して前記収納容器３１０とが外部ケースとを結合させる結合部材として使用される。また、前記第１スタッド３１５ａは前記収納容器３１０の内側に突出され前記収納容器３１０に収納される導光板３３０の側面３３５に形成されたガイド溝３３１に挿入される。これによって前記第１スタッド３１５ａは外力による前記導光板３３０の流動を防止させる。前記結合ガイド部３１５は円形または多角形の管形状に多様に形成されることができるが、望ましくは円形の管形状、即ち、円筒形状である。
【００４１】
前記固定部３１７は、前記収納容器１１０に収納される光学部材１４２、１４３、１４４の突出部１４５が安着され、前記光学部材１４２、１４３、１４４を固定する。望ましくは、前記結合ガイド部３１５と固定部３１７は前記側壁１１２のうち前記ランプユニット１２０と接しない側壁３１０に形成される。
前記ランプユニット１２０、光学ユニット１４０及びモールドフレーム１５０は図１に説明されたのと同一であるので詳細な説明は省略する。
【００４２】
図７は図６に示された結合ガイド部に対する斜視図である。
図６及び図７に示すように、前記結合ガイド部３１５は第１スタッド部３１５ａ、第２スタッド３１５ｂ及び固定端部３１５ｃを含む。
前記第１スタッド３１５ａは前記収納容器３１０の側壁３１２から内側に突出された管形状を有し、前記管形状の内側面にはネジ山３１５ｄが形成される。前記第１スタッド３１５ａの高さｈは前記導光板３３０の側面３３５に形成されたガイド溝３３１の深さに対応する。前記第１スタッド３１５ａは吸着部材及びガイド部材に使用される。
【００４３】
前記第１スタッド３１５ａの内側面にはネジ山３１５ｄが形成されないこともできる。前記ネジ山３１５ｄが形成されない場合には前記第１スタッド３１５ａはガイド部材として使用される。
前記第２スタッド３１５ｂは前記収納容器３１０の側壁３１２から外側に突出された管形状を有し、前記管形状の内側面にはネジ山３１５ｄが形成される。第２スタッド３１５ｂは結合部材として使用される。
【００４４】
前記固定端部３１５ｃは多角形状を有し、前記第１スタッド３１５ａの一端部と向き合う第２スタッド３１５ｂの一端部上に形成される。前記固定端部３１５ｃは前記収納容器３１０の側壁３１２厚さに対応する厚さｔを有し、前記収納容器３１０の側壁３１２に挿入され固定される。
前記固定端部３１５ｃが前記側壁３１２に固定されることで前記第１スタッド３１５ａは前記収納容器３１０の内側に突出されるように配置され、前記第２スタッド３１５ｂは前記収納容器３１０の外側に突出されるように配置される。
【００４５】
図８は図６に示された収納容器と導光板の拡大斜視図である。
図６及び図８に示すように、前記収納容器３１０の側壁３１２には結合ガイド部３１５が形成され、前記導光板３３０には前記結合ガイド部３１５に対応するガイド溝３３１が形成される。
前記結合ガイド部３１５は前記収納容器の側壁３１２の一定の位置に固定され、第１スタッド３１５ａ、第２スタッド３１５ｂ及び固定端部３１５ｃを含む。
【００４６】
前記第１スタッド３１５ａは前記側壁３１２から内側に突出され、一定の高さｈを有する円筒形状に内側面にはネジ山３１５ｄが形成される。
前記第２スタッド３１５ｂは前記側壁３１２から外側に突出され、一定の高さを有する円筒形状に内側面には前記ネジ山３１５ｄが形成される。
前記固定端部３１５ｃは前記側壁３１２厚さに対応する厚さｔを有し、前記第１スタッド３１５ａと第２スタッド３１５ｂの境界線上に形成される。
【００４７】
前記ガイド溝３３１は前記結合ガイド部３１５が形成された位置に対応して前記導光板３３０の側面３３５に形成される。前記ガイド溝３３１は第１面３３２と前記第１面の両端部からそれぞれ延長された二つの第２面３３３を有するＵ字形状である。前記ガイド溝３３１の深さは前記第１スタッド３１５ａの高さｈに対応する。
前記ガイド溝３３１の二つの第２面３３３のうち一つは前記第１スタッド３１５ａと密接に配置される。これにより、前記ガイド溝３３１に前記第１スタッド３１５ａが挿入され、前記第２面３３３が前記第１スタッド３１５ａに密接に配置されることで外力による前記導光板３３０の流動を防止する。そして、後続組立工程によって、外部ケースを挟み込んで、前記結合ガイド部３１５のネジ山３１５ｄにねじを締結して外部ケースと収納容器とを固定する。
【００４８】
結果的に、前記結合ガイド部３１５は外部ケースとの結合を容易にし、さらに、収納容器に収納される前記導光板３３０を安定にガイドする。
（実施例３）
図９は本発明のさらに他の実施例によるバックライト組立体に対する概略的な斜視図である。
【００４９】
図９に示すように、バックライト組立体は収納容器４１０、ランプユニット１２０、導光板４３０、光学ユニット１４０及びモールドフレーム１５０を含む。
前記収納容器４１０はプレート形状を有する底面４１１及び底面４１１から延長された側壁４１２を含む。前記収納容器４１０には底面４１１及び側壁４１２によって収納空間が形成される。
【００５０】
前記側壁４１２には結合部材４１５、ガイド部４１６及び固定部４１７が形成される。前記結合部材４１５はネジ山が形成された内側面を含む管形状を有し、前記側壁４１２から前記収納容器４１０の外側に突出されるように形成される。
前記結合部材４１５は前記収納容器４１０と外部ケースをスクリューを介して結合するための結合部材である。
【００５１】
前記ガイド部４１６は管形状を有し、前記側壁４１２から前記収納容器４１０の内側に突出されるように形成される。前記ガイド部４１６は前記収納容器４１０に収納される前記導光板４３０の流動を防止するためのガイド部材である。
前記固定部４１７は、前記収納容器４１０に収納される光学部材１４２、１４３、１４４を固定するためのもので、前記光学部材１４２、１４３、１４４の突出部１４５が安着される。
【００５２】
望ましくは、前記結合部４１５、前記ガイド部４１６及び固定部位４１７は前記側壁のうち前記ランプユニット１２０と接しない側壁４１２に形成される。
前記ランプユニット１２０、導光板４３０、光学ユニット１４０及びモールドフレーム１５０は図１に説明されたのと同一であるので詳細な説明は省略する。
図１０は図９に示された収納容器と導光板の拡大斜視図である。
【００５３】
図９及び図１０に示すように、前記収納容器４１０の側壁４１２には結合部材４１５とガイド部４１６が形成され、前記導光板４３０には前記ガイド部４１６に対応するガイド溝４３１が形成される。
前記結合部材４１５は前記収納容器の側壁４１２の第１位置に固定され、第１スタッド４１５ａ及び第１固定端部４１５ｂを含む。前記第１スタッド４１５ａは前記側壁４１２から外側に突出され、一定の高さを有する円筒形状に内側面にはネジ山４１５ｃが形成される。前記第１固定端部４１５ｂは多角形状を有し、前記収納容器４１０の側壁４１２厚さに対応する厚さｔを有し前記側壁４１２に挿入され固定される。
【００５４】
前記ガイド部４１６は前記収納容器の側壁４１２の第２位置に固定され、第２スタッド４１６ａ及び第２固定端部４１６ｂを含む。前記第２スタッド部４１６ａは前記側壁４１２で内側に突出され、一定の高さｈを有する円筒形状に形成される。前記第２固定端部４１６ｂは多角形状を有し、前記収納容器４１０の側壁４１２厚さに対応する厚さｔを有し前記側壁４１２に挿入され固定される。
【００５５】
前記ガイド溝４３１は前記ガイド部４１６が形成された位置に対応して前記導光板４３０の側面４３５に形成される。前記ガイド溝４３１はＵ字形状に第１面４３２と前記第１面の両端部からそれぞれ延長された二つの第２面４３３を有する。前記ガイド溝４３１は前記第２スタッド４１６ａの高さｈに対応する。
前記ガイド溝４３１の二つの第２面４３２、４３３のうち一つは前記第２スタッド４１６ａと密接に配置される。これにより、前記ガイド溝４３１に前記第２スタッド４１６ａが挿入され、前記第２面４３３が前記第２スタッド４１６ａに密接に配置されることで外力による前記導光板４３０の流動を防止する。そして、後続組立工程によって、外部ケースを挟み込んで、結合部材４１５のネジ山４１５ｃにねじを締結して外部ケースと収納容器とを安定的に固定する。
【００５６】
結果的に、前記結合部１４５は外部ケースとの結合を容易にし、前記ガイド部４１６は前記収納容器に収納される前記導光板４３０を安定的にガイドする。
（実施例４）
図１１は本発明のさらに他の実施例による表示モジュールに対する分解斜視図である。
図１１に示すように、表示モジュールは光を発生するバックライト組立体ＢＬと前記光を用いて画像を表示する表示アセンブリＤＰを含む。
【００５７】
前記バックライト組立体ＢＬは第１収納容器１１０、ランプユニット１２０、導光板１３０、光学ユニット１４０及びモールドフレーム１５０を含む。
前記第１収納容器１１０はプレート形状を有する底面１１１及び前記底面１１１から折曲され延長された側壁１１２を含む。前記第１収納容器１１０には底面１１１及び側壁１１２によって収納空間が形成される。前記側壁１１２には結合部１１５と固定部１１７が形成される。前記結合部１１５は管形状を有し、前記側壁１１２から前記第１収納容器１１０の内側に突出されるように形成される。
【００５８】
前記結合部１１５はスクリューを用いて前記第１収納容器１１０と外部ケースとを互いに結合させる。前記結合部１１５は前記第１収納容器１１０に収納される導光板１３０の側面１３２に形成されたガイド溝１３２ａに挿入され前記導光板１３０の流動を防止させる。前記結合部１１５は円形または多角形の管形状に多様に形成されることができるが、望ましくは、円形の管形状、即ち、円筒形状である。
【００５９】
前記固定部１１７は前記第１収納容器１１０に収納される光学部材１４２、１４３、１４４を固定させるためのもので、光学部材１４２、１４３，１４４の突出部１４５が安着される。
前記ランプユニット１２０は光を出射するランプ１２１、前記ランプ１２１をカバーするランプカバー１２２を含む。
【００６０】
前記ランプ１２１は前記導光板１３０の入光面１３１と向き合うように配置され光を出射する。前記ランプカバー１２２は前記ランプ１２１の一部領域を取り囲むように配置される。前記ランプカバー１２２は前記ランプ１２１から出射された光を前記導光板１３０の入光面１３１側に集光させる。
前記導光板１３０は前記ランプ１２１と並んで位置する入光面１３１、前記入光面１３１と第１方向に直交する側面１３２、前記入光面１３１と第１方向に直交する出射面１３３を含む。前記側面１３２には前記導光板１３０をガイドするガイド溝１３２ａが形成される。前記ガイド溝１３２ａに前記第１収納容器１１０の結合部１１５が挿入され前記導光板１３０の流動を防止する。
【００６１】
前記光学ユニット１４０は反射部材１４１と光学部材１４２、１４３、１４４を含む。前記反射部材１４１は前記導光板１３０の下に配置され前記導光板１３０から漏洩された光を反射させる。前記光学部材１４２、１４３、１４４は前記導光板１３０の上に配置され、前記導光板１３０から出射された光の輝度特性を向上させる。前記光学部材１４２、１４３、１４４は拡散シート及び一つ以上のプリズムシートを含む。
【００６２】
前記モールドフレーム１５０は光が通過することができるように中央が開口された矩形フレーム形状の開口部１５１が形成され、前記開口部１５１の端部位には前記光学部材１４２、１４３、１４４の端部位部分を押して固定する支持部１５２が形成される。前記支持部１５２は前記モールドフレーム１５０の上に配置される表示パネル（図示せず）をガイドして安着させる。望ましくは、前記モールドフレーム１５０の側壁には前記結合部１１５に対応するホール１５３が形成される。
【００６３】
前記表示アセンブリＤＰは表示パネル１６０、駆動回路部１７０及び第２収納容器１８０を含む。
前記表示パネル１６０はアレイ基板、対向基板、及び前記基板の間に形成された液晶層を含む。前記表示パネル１６０は前記モールドフレーム１５０の支持部１５２上に安着され、バックライト組立体ＢＬから光を受け液晶の電気光学的性質によって画像を表示する。
【００６４】
前記駆動回路部１７０は、ゲート駆動部１７１とデータ駆動部１７３を含む。前記ゲート駆動部１７１は前記アレイ基板に形成されたゲート配線にゲート信号を出力し、前記データ駆動部１７３は前記アレイ基板に形成されたデータ配線にデータ信号を出力する。
前記第２収納容器１８０は額縁形状を有し、前記第１収納容器１１０と結合される。前記第２収納容器１８０の側壁１８２には前記第１収納容器１１０の側壁１１２に形成された結合部１１５に対応して結合孔１８３が形成される。
【００６５】
前記第２収納容器１８０と第１収納容器１１０とが結合され表示モジュールが完成される。以後、外部ケースと前記表示モジュールは前記結合部１１５と結合孔１８３を通じて相互結合される。
以上説明したように、本発明によると導光板を収納する収納容器の側壁に内側に突出された結合ガイド部を備えることで、前記収納容器と外部ケースと間の結合を容易にすることができ、また、前記導光板を安定的にガイドすることができる。
【００６６】
また、前記収納容器内側に突出された結合ガイド部を備えることにより、表示装置の幅を減少することができる。また、前記結合ガイド部を通じて前記導光板をガイドすることによって別途の導光板をガイドするためのガイド部材の設計が不必要になることによって前記収納容器のデザイン設計及び加工を簡単化することができる。
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【００６７】
【図１】本発明の一実施例によるバックライト組立体に対する概略的な斜視図である。
【図２】図１に示された結合ガイド部に対する拡大斜視図である。
【図３】図１に示された収納容器と導光板に対する一例を示す斜視図である。
【図４】図１に示された収納容器と導光板に対する他の実施例を示す斜視図である。
【図５】図１に示された収納容器と導光板に対する他の実施例を示す斜視図である。
【図６】本発明の他の実施例によるバックライト組立体に対する概略的な斜視図である。
【図７】図６に示された結合ガイド部に対する斜視図である。
【図８】図６に示された収納容器と導光板の拡大斜視図である。
【図９】本発明のさらにまたの実施例によるバックライト組立体に対する概略的な斜視図である。
【図１０】図９に示された収納容器と導光板の拡大斜視図である。
【図１１】本発明のさらにまたの実施例による表示モジュールに対する分解斜視図である。
【符号の説明】
【００６８】
１１０      第１収納容器
１１５      結合ガイド部
１２０      ランプユニット
１３０      導光板
１３２ａ    ガイド溝
１４０      光学ユニット
１５０      モールドフレーム
１６０      表示パネル
１７０      駆動回路部
１８０      第２収納容器
【図１】
2006253108.tif 000003
【図２】
2006253108.tif 000004
【図３】
2006253108.tif 000005
【図４】
2006253108.tif 000006
【図５】
2006253108.tif 000007
【図６】
2006253108.tif 000008
【図７】
2006253108.tif 000009
【図８】
2006253108.tif 000010
【図９】
2006253108.tif 000011
【図１０】
2006253108.tif 000012
【図１１】
2006253108.tif 000013